(57)【要約】【課題】合成樹脂の破損を招来せず、通常の使用状態となる平面視においてかしめ脚の縁部がそのまま露呈することがなく、耐久性に優れ、装飾性の高い優れたハトメを提供することを課題とする。【解決手段】筒状のかしめ脚（１０）の一端全周にフランジ（１１）を形成した金属製の雄体（１）と、環状装飾部（２０）の外縁部に起立縁（２１）を形成してなる合成樹脂製の装飾体（２）と、前記雄体（１）のかしめ脚（１０）に対応した中央穴（３０）を形成した金属製の雌体（３）とからなり、前記雄体（１）のフランジ（１１）の外面（１３）と装飾体（２）の内面（２２）とを密着状態として、当該雄体（１）のフランジ（１１）に対して前記合成樹脂製の装飾体（２）の起立縁（２１）をかしめて固着し、雄体（１）のかしめ脚（１０）が、取付生地（４）と、雌体（３）の中央穴（３０）とを連通して、かしめ固定するハトメを、解決手段とする。【選択図】        図４
2004187916.tif 000002
【特許請求の範囲】
【請求項１】
筒状のかしめ脚（１０）の一端全周にフランジ（１１）を形成した金属製の雄体（１）と、環状装飾部（２０）の外縁部に起立縁（２１）を形成してなる合成樹脂製の装飾体（２）と、前記雄体（１）のかしめ脚（１０）に対応した中央穴（３０）を形成した金属製の雌体（３）とからなり、
前記雄体（１）のフランジ（１１）の外面（１３）と装飾体（２）の内面（２２）とを密着状態として、当該雄体（１）のフランジ（１１）に対して前記合成樹脂製の装飾体（２）の起立縁（２１）をかしめて固着し、
雄体（１）のかしめ脚（１０）が、取付生地（４）と、雌体（３）の中央穴（３０）とを連通して、かしめ固定することを特徴とするハトメ。
【請求項２】
装飾体（２）は、透明若しくは半透明の合成樹脂からなることを特徴とする請求項１記載のハトメ。
【請求項３】
装飾体（２）は、材質をナイロン６として、２１０℃乃至２５０℃の条件下において圧力略３５ｔ程度で射出成型したものとしたことを特徴とする請求項１又は２記載のハトメ。
【請求項４】
装飾体（２）は、起立縁（２１）の厚みを環状装飾部（２０）の厚みよりも薄くすることにより、当該起立縁（２１）と、環状装飾部（２０）における基端部との間に段差（２６）を形成したことを特徴とする請求項１、２又は３記載のハトメ。
【発明の詳細な説明】
【０００１】
【発明が属する技術分野】
本発明は、合成樹脂製の装飾部を備えた金属製のハトメに関するものである。
【０００２】
【従来の技術】
合成樹脂製の装飾部を備えた金属製のハトメを開示するものとしては、当該合成樹脂製（若しくは金属製等）の硬質材料からなる雌体を、係止穴を貫通させた環状体とし、前記係止穴に、その底面から頂面に向かって拡開されるテーパー面を形成するとともに、フランジ部と、布帛等の装着対象物を挟んで前記係止穴に挿入される筒状片とからなる雄体の、前記筒状片を前記雌体の頂面側から挿入される成形型で係止穴のテーパー面に密着するように拡開し、かしめ止めするようにしてなるハトメが公知である（例えば、特許文献１参照。）。
【０００３】
【特許文献１】
実開平５−８０３１２号公報
【０００４】
【発明が解決しようとする課題】
上記特許文献１に係る考案は、一般的なハトメにおいて、雌体側に雄体のかしめ脚が露出しないものとする考案であり、その底面から頂面に向かって拡開されるテーパー面を形成して、かしめ脚をテーパー面に密着するように拡開するものである。
【０００５】
そして、特に、上記考案に係るハトメにおいて雌体を合成樹脂で形成する場合には、装飾性を高めることができるものの、当該合成樹脂が硬質である必要がある。即ち、合成樹脂に対して、直接かしめ脚でかしめる必要があることから、十分な強度が担保される必要がある。しかしながら、通常の強度が確保されている場合であっても、当該合成樹脂が硬質であることによって、急激な負荷が作用することなどにより、当該ハトメが破損することもある。
【０００６】
また、上記した特許文献１に係るハトメにおいては、図６に示すように、かしめ脚９０が係合穴から突出しないものの、装飾部９に、装飾機能を有さないかしめ脚９０の縁部がそのまま露呈することから、この点において装飾製に劣るという欠点があった。
【０００７】
更に、テーパー面にかしめ脚が密着するように取付けるものであることから、かしめ脚自体の強度が弱く、経時的な劣化により、がたつきが生じやすく、耐久性についても十分とはいえないものであった。
【０００８】
一方、全て樹脂で形成したハトメにおいては、取付生地に対して常に予め取付穴を形成しなければならず、非常に不便であるという事情もあった。
【０００９】
本発明は以上の事情に鑑みてなされたものであり、合成樹脂の破損を招来せず、通常の使用状態となる平面視においてかしめ脚の縁部がそのまま露呈することがなく、耐久性に優れ、装飾性の高い優れた、装飾部が合成樹脂からなる金属製のハトメを提供することを、発明が解決しようとする課題とする。
【００１０】
【課題を解決するための手段】
筒状のかしめ脚の一端全周にフランジを形成した金属製の雄体と、環状装飾部の外縁部に起立縁を形成してなる合成樹脂製の装飾体と、前記雄体のかしめ脚に対応した中央穴を形成した金属製の雌体とからなり、前記雄体のフランジの外面と装飾体の内面とを密着状態として、当該雄体のフランジに対して前記合成樹脂製の装飾体の起立縁をかしめて固着し、雄体のかしめ脚が、取付生地と、雌体の中央穴とを連通して、かしめ固定することを特徴とするハトメを、課題を解決するための手段とする。
【００１１】
【発明の効果】
本発明によれば、上記構成により、雄体のフランジに対して合成樹脂製の装飾体の起立縁をかしめて固着する際には、雄体のフランジと装飾体の内面とを密着状態とすることで、当該装飾体の強度が確保されることで、耐久性に優れたものとすることができるとともに、装飾体の割れを防止することができる。
【００１２】
そして、本発明によれば、装飾部においてかしめ脚の縁部が、中央穴付近にそのまま露呈することもなく、装飾部全てを合成樹脂で被覆でき、また、当該合成樹脂を透明若しくは半透明とすることにより、金属製の雄体を透かせて呈示することができ、これまでになく樹脂の光沢に富んだ、装飾性の高いハトメを提供することができる。
【００１３】
また、前記したように、雄体のフランジに対して合成樹脂製の装飾体の起立縁をかしめて冠着する際には当該装飾体の強度が確保されることから、合成樹脂製の装飾体を備えているにもかかわらず、雄体の係合脚を、取付生地を通して、雌体の中央穴に挿通した後かしめを行なう一般的なハトメ打ち機を利用することができる。したがって、既存設備により、新たな装飾性を備えたハトメを製造することができるとともに、雄体及び雌体について従来のハトメを使用することができることから、予め取付生地に対して穴を開ける必要のない、いわゆるセルフピアシングハトメを利用することもできる。
【００１４】
そして、装飾体を形成する材質にナイロンを使用して、２１０℃乃至２５０℃の条件下において圧力略３５ｔ程度で射出成型したものとした場合には、特に有用な装飾体を得ることができる。
【００１５】
また、装飾体は、起立縁の厚みを環状装飾部の厚みよりも薄くして、当該起立縁と環状装飾部の縁部との間に段差を形成した場合には、装飾体の起立縁をかしめる際に、該起立縁のみが柔軟に湾曲し環状装飾部を変形させる負荷を低減させることができ、当該起立縁をかしめる際の雄体と装飾体との間に隙間が生ずることを防止し、取付生地に取付ける際に、装飾体の破損をより一層、防止することができる。
【００１６】
【発明の実施の形態及び実施例】
図１は本発明の実施例に係るハトメの雄体と装飾体とを取付ける状態を示す断面図、図２は同実施例に係るハトメの雄体及び装飾体を取付けてかしめた状態を示す断面図、図３は同実施例に係るハトメを取付生地に対して固着する直前の状態を示す説明断面図、図４は同実施例に係るハトメを取付生地に対して固着した状態を示す説明断面図、図５は同実施例に係るハトメの取付状態を示す平面図、図６は先行技術に係るハトメの取付状態を示す平面図である。
【００１７】
本発明の実施例に係るハトメは、合成樹脂製の装飾体２と金属製の雄体１及び雌体３とからなるものである。以下、本実施例に係るハトメについて詳細に説明する。
【００１８】
先ず、装飾体２は、合成樹脂として、ナイロン６（ユニチカ  ナイロン６、ＣＸ−２５００：ユニチカ株式会社製）を使用しており、２００℃乃至３００℃、更に好ましくは、２１０℃乃至２５０℃の温度下で、射出圧力３５ｔで射出成形を行なうことで製造されるもので、図１に示すように、当該装飾体２は、中央穴２５を形成した環状装飾部２０と、該環状装飾部２０の外周縁に形成される高さ１．５６ｍｍ程度の起立縁２１からなる環状体であり、前記環状装飾部２０の内面２２には、断面視円弧状となる窪み２３を輪状に形成したものである。
【００１９】
そして、最も荷重のかかる環状装飾部２０における環状峰部２４については厚さ０．７ｍｍとし、該環状峰部２４から外側端部２７及び内側端部２８に至るまでの周縁部分は最小値０．５ｍｍとなるように当該環状峰部２４から離れるにつれて徐々に厚みが減少するように形成し、厚みのばらつきは±０．０５ｍｍ以内として非常に高精度なものとしている。
【００２０】
また、装飾体２における起立縁２１の厚みを０．３５ｍｍ程度とし、環状装飾部２０の厚みである０．７ｍｍよりも薄くすることにより、当該起立縁２１と環状装飾部２０の基端部との間に段差２６を形成している。
【００２１】
次に、雄体１は、図１に示すように、先端にセルフピアシング機能（取付生地に事前に取付穴を形成する必要がなく、かしめ脚が取付生地に取付穴を形成する機能）を備えた筒状のかしめ脚１０における基端側の全周にフランジ１１を形成したものである。ここで、前記装飾体２の内面２２に形成された窪み２３と、フランジ１１の外面１３とが密着可能な構成となっている。
【００２２】
また、雌体は、図３に示すように、いわゆる座としての役割を果たすものであり、中央穴３０を形成した環状体であり、その全周縁は、やや取付生地４側へ湾曲した形状とすることで、取付生地４に対して食い込むものである。
【００２３】
取付方法については、先ず、図１に示すように、雄体１と、環状装飾部２０の外縁部に起立縁２１を形成してなる有色透明の合成樹脂製の装飾体２とを、図１に示すように、前記雄体１のフランジ１１と装飾体２の内面２２とを密着した状態として、周縁に起立した装飾体２の起立縁２１をかしめ、当該雄体１のフランジ１１の周縁部１４を包持固定する。これによって、装飾体２と雄体１とが一体として固着される。
【００２４】
その後、前記筒状のかしめ脚１０によって、取付生地４を貫通し、更に、中央穴３０を形成し環状となる金属製の雌体３を連通して、当該筒状のかしめ脚１０をかしめて固定するのである。
【００２５】
ここで、前記したように、本発明において装飾体２は、ナイロン６を使用しているが、このほか、他のナイロンやポリウレタン、ポリアセタール、シリコンポリマー等を使用することもできる。しかしながら、本実施例に開示したナイロン６の場合は、成形条件が比較的緩慢であり、安価に無色、有色透明な装飾体を製造することができる点において特に優れたものである。
【００２６】
また、上記実施例においてナイロン６を使用した場合には、２００℃乃至３００℃、更に好ましくは、２１０℃乃至２５０℃の温度下で、射出圧力３５ｔで行なう。尚、３００℃を超えると、強度の低下を起こすこととなるため、使用に耐え得ないものとなる。
【００２７】
以上のように、本発明によれば、合成樹脂からなる装飾体２を特定条件下で形成するとともに、その形状において、雄体１と密着する形状とし、十分な強度を確保することにより、かしめ作業によっても割れない合成樹脂製の装飾体を備えたハトメを得ることができるのである。
【００２８】
また、当該装飾体は、透明若しくは半透明とすることができ、直接金属部分が装飾部分に露出することもないことから、これまでにない優れた美感を生じさせることができる非常に優れた発明である。
【図面の簡単な説明】
【図１】本発明の実施例に係るハトメの雄体と装飾体とを取付ける状態を示す断面図である。
【図２】本発明の実施例に係るハトメの雄体及び装飾体を取付けてかしめた状態を示す断面図である。
【図３】本発明の実施例に係るハトメを取付生地に対して固着する直前の状態を示す説明断面図である。
【図４】本発明の実施例に係るハトメを取付生地に対して固着した状態を示す説明断面図である。
【図５】本発明の実施例に係るハトメの取付状態を示す平面図である。
【図６】先行技術に係るハトメの取付状態を示す平面図である。
【符号の説明】
１      雄体
１０    かしめ脚
１１    フランジ
１２    穴
１３    外面
１４    周縁部
２      装飾体
２０    環状装飾部
２１    起立縁
２２    内面
２３    窪み
２４    環状峰部
２５    中央穴
２６    段差
２７    外側端部
２８    内側端部
３      雌体
３０    中央穴
４      取付生地
９      （先行技術）ハトメ
９０    （先行技術）かしめ脚
【図１】
2004187916.tif 000003
【図２】
2004187916.tif 000004
【図３】
2004187916.tif 000005
【図４】
2004187916.tif 000006
【図５】
2004187916.tif 000007
【図６】
2004187916.tif 000008